(57)【要約】      （修正有）【課題】沿岸部の藻場の再生及び育成のために、長期間に亘り継続的にフルボ酸鉄を海中に溶出できる藻場育成システムを提供する。【解決手段】海水をくみ上げる水中ポンプと、前記水中ポンプでくみ上げた海水を貯蔵する海水タンクと、フルボ酸溶液を入れたフルボ酸溶液タンクと、鉄イオン発生装置を中に取付けたフルボ酸鉄生成タンクとを備え、前記フルボ酸鉄生成タンク内で、前記鉄イオン発生装置から鉄イオンを発生させ、前記フルボ酸溶液タンクから前記フルボ酸鉄生成タンク内へフルボ酸溶液を供給して、フルボ酸鉄を生成し、前記海水タンクからフルボ酸鉄生成タンク内へ海水を供給することによってオーバーフローさせ、生成したフルボ酸鉄を海中へ排出させるように構成してある。【選択図】図１
0003222255.tif 000002
【実用新案登録請求の範囲】
【請求項１】
海水をくみ上げる水中ポンプと、前記水中ポンプでくみ上げた海水を貯蔵する海水タンクと、フルボ酸溶液を入れたフルボ酸溶液タンクと、鉄イオン発生装置を中に取付けたフルボ酸鉄生成タンクとを備え、前記フルボ酸鉄生成タンク内で、前記鉄イオン発生装置から鉄イオンを発生させ、前記フルボ酸溶液タンクから前記フルボ酸鉄生成タンク内へフルボ酸溶液を供給して、フルボ酸鉄を生成し、前記海水タンクからフルボ酸鉄生成タンク内へ海水を供給することによってオーバーフローさせ、生成したフルボ酸鉄を海中へ排出させるように構成してあることを特徴とする藻場育成システム。
【請求項２】
請求項１に記載の鉄イオン発生装置は、通電材料とそれを外装する外筒内に棒材を配置してなり、外筒を正極に、棒材を負極にしてある藻場育成システム。
【請求項３】
請求項１又は２において、鉄イオン発生装置に供給するＤＣ電源を備える藻場育成システム。
【請求項４】
請求項２に記載の外筒の内面はステンレス製である藻場育成システム。
【請求項５】
請求項２に記載の棒材は鉄製である藻場育成システム。
【請求項６】
請求項１〜５のいずれかにおいて、フルボ酸生成タンクは海水で満水にしてあり、前記海水タンクから供給される海水の量とほぼ同じ量の海水に溶けたフルボ酸が海中へ排出されるようにしてある藻場育成システム。
【考案の詳細な説明】
【技術分野】
【０００１】  本考案は、藻場を形成するために必要な安定したフルボ酸鉄を、継続的に供給できる溶出方法により、海中に散布できるシステムに関するものである。
【背景技術】
【０００２】  近年、沿岸部などでは、海藻が減少して石灰藻で覆われる磯焼けという現象が進行、拡大し、藻場が減少し、魚介類、海藻等の沿岸水産資源が減少している。以前は森林の腐植土壌中で生成する水溶性のフルボ酸鉄（フルボ酸と２価鉄イオンがキレート化したもの）が河川等から流れ込んでいたが、森林の荒廃、河川工事、湾岸整備工事等によってフルボ酸鉄の供給が減少していることが起因しているといわれている。【０００３】  このような問題を解決するために、例えば、鉄鋼スラグ等の２価鉄含有物を泥炭等の腐植土と共にヤシノミ繊維製の袋に詰め、これを沿岸部に埋設、あるいは海中に沈め、ここからフルボ酸鉄を徐々に海中に放出し、海藻等の水生植物に必要な鉄分を供給し、効率よく水生植物を増殖させようとする磯焼け再生方法等の技術が提案されている。
【先行技術文献】
【特許文献】
【０００４】
【特許文献１】特開２０１０−１１０２５５
【特許文献２】特開２０１３−１８３６７６
【考案の概要】
【考案が解決しようとする課題】
【０００５】  前述した磯焼けの再生方法は、地域によっては確かに磯焼けを回復して海藻等の生物に一時的に効果はあるが、その鉄分は海水中で酸化鉄となりその効果は限定的で、継続的かつ長期間に亘って効果を発揮し得ることは困難であった。【０００６】  本考案は、プランクトンや海藻の成長に必須な栄養素（窒素、リン酸、カリ）をその細胞内に取込む前提条件として必要なフルボ酸鉄を継続的に海中に溶出できるシステムにより、藻場の再生及び育成を目的とする。
【課題を解決するための手段】
【０００７】  本考案は、腐植泥炭配合の土壌から抽出したフルボ酸溶液と電気的に発生させた２価鉄イオンで、酸化しづらいキレート化したフルボ酸鉄を継続的に発生、供給することで海域の環境改善および海藻の増殖速度を上昇させて藻場を再生させる。【０００８】  本考案は、微弱電流の通電による連続的かつ安定した鉄イオン供給が可能で、酸化してその効果を失ってしまうこれまでの遊離の溶存鉄供給法とは異なり、２価の鉄イオンを連続し安定的に発生させる装置と、腐植泥炭等より溶出したキレート可能な天然高分子電解質であるフルボ酸溶液で、効果的なフルボ酸鉄を充分量海水と共に海中へ流出できるシステムである。
【考案の効果】
【０００９】  安定したフルボ酸鉄を海域にできるだけ多く、広範囲に持続的に供給でき、磯焼けを減少させ、海藻の繁茂する海を取り戻し、低迷する魚貝類の増殖及び付加価値の高い海藻類の水中、水上養殖に効率的効果が期待できるシステムを提供する。
【図面の簡単な説明】
【００１０】
【図１】フルボ酸鉄発生システムの構成図
【図２】鉄イオン発生装置の側平面図
【考案を実施するための形態】
【００１１】  本考案を実施するための形態を図１および図２に基づいて説明する。
【００１２】  図１は、海面ｇに浮かべた筏ｆの上にイオン発生装置ａを中に取付けたフルボ酸鉄生成タンクｂを乗せその上部に台座ｅを作り、台座ｅにフルボ酸溶液タンクｃと海水タンクｄを配備する。
【００１３】  図１のフルボ酸鉄生成タンクｂ内に取付けた鉄イオン発生装置ａは、図２の塩ビパイプａ−１の内側に円筒状のステンレスａ−２をはめ込み、ステンレスａ−２に板状のステンレスａ−３を取付け、塩ビパイプａ−１に取付けたプラスティック板ａ−５に鉄の丸棒ａ−４を固定させたものであり、図１のＤＣ電源６から電源コード８で板状のステンレスａ−３に正の電極を接続し、鉄の丸棒ａ−４に電源コード９で負の電極を接続し、電圧３〜５Ｖ、電流０．１Ａの電流を流し、継続的に安定した２価鉄イオンを発生させる装置である。
【００１４】
0003222255.tif 000003
ポンプは、防水ＡＣ電源コード２で繋ぎ、漏電ブレーカー７を備えた防水電源ボックス４の中に納められたＡＣ電源５で稼働し、タイマー付スイッチ３
0003222255.tif 000004
塩ビパイプ１０を通じて海水タンクｄに貯蔵する。さらに自然落下で１日２００
0003222255.tif 000005
みになっている。
【００１５】  フルボ酸溶液タンクｃから、フルボ酸溶液をフルボ酸鉄生成タンクｂに、
0003222255.tif 000006
【００１６】  フルボ酸鉄生成タンクｂに入ったフルボ酸は、前述の鉄イオン発生装置ａで発生した２価鉄イオンと結合してフルボ酸鉄を生成する。生成したフルボ酸鉄が、フルボ酸鉄生成タンクｂから、排出用塩ビパイプ１６を通じて海中に排出される仕組みである。
【００１７】  フルボ酸鉄生成タンクｂの中は、排水用塩ビパイプ１６の取付け位置の中心の高さが水位１４となり、フルボ酸鉄生成タンクｂの中が真空にならないように空気孔１３があり、フルボ酸鉄生成タンクｂの中は常に水位１４を保つているので、海水タンクｄから海水が入ると、ほぼ同じ量の生成したフルボ酸鉄の溶液がスムーズに流れるようエアー抜き１５を付けた排水用塩ビパイプ１６を通じて海中へ排出される仕組みである。
【００１８】  安定したフルボ酸鉄が継続的に海中に流出させることによって、海藻等の水生植物が増殖し、藻場を磯焼けから回復させ、また、育成できるシステムである。
【００１９】
0003222255.tif 000007
【符号の説明】
【００２０】    ａ：鉄イオン発生装置
ｂ：フルボ酸鉄生成タンク
ｃ：フルボ酸溶液タンク
ｄ：海水タンク
ｅ：台座
ｆ：筏
ｇ：海面
１：水中ポンプ（ＲＹＯＢＩ  ＲＭＧ−３０００）
２：防水電源コード
３：タイマー付スイッチ
４：防水電源ボックス
５：ＡＣ電源
６：ＤＣ電源
７：漏電ブレーカー
８：電源コード
９：電源コード
１０：塩ビパイプ
１１：塩ビパイプ
１２：ビニールホース
１３：空気孔
１４：フルボ酸鉄生成タンクの中の水位
１５：エアー抜き
１６：排水用塩ビパイプ
ａ−１：塩ビパイプ
ａ−２：円筒状のステンレス
ａ−３：ａ−２と接続した板状のステンレス
ａ−４：鉄の丸棒
ａ−５：ａ−４を固定させるプラスチック板
【図１】
0003222255.tif 000008
【図２】
0003222255.tif 000009
【手続補正書】
【提出日】平成31年2月25日(2019.2.25)
【手続補正１】
【補正対象書類名】実用新案登録請求の範囲
【補正対象項目名】全文
【補正方法】変更
【補正の内容】
【実用新案登録請求の範囲】
【請求項１】
海水をくみ上げる水中ポンプと、前記水中ポンプでくみ上げた海水を貯蔵する海水タンクと、フルボ酸溶液を入れたフルボ酸溶液タンクと、鉄イオン発生装置を中に取付けたフルボ酸生成タンクとを備え、前記フルボ酸鉄生成タンク内で、前記鉄イオン発生装置から鉄イオンを発生させ、前記フルボ酸溶液タンクから前記フルボ酸鉄生成タンク内へフルボ酸溶液を供給して、フルボ酸鉄を生成し、前記海水タンクからフルボ酸鉄生成タンク内へ海水を供給することによってオーバーフローさせ、生成したフルボ酸鉄を海中へ排出させるように構成してあることを特徴とする藻場育成システム。
【請求項２】
前記鉄イオン発生装置は、通電材料とそれを外装する外筒内に棒材を配置してなり、外筒を正極に、棒材を負極にしてある請求項１に記載の藻場育成システム。
【請求項３】
前記鉄イオン発生装置に供給するＤＣ電源を備える請求項１又は２に記載の藻場育成システム。
【請求項４】
前記外筒の内面はステンレス製である請求項２に記載の藻場育成システム。
【請求項５】
前記棒材は鉄製である請求項２に記載の藻場育成システム。
【請求項６】
フルボ酸生成タンクは海水で満水にしてあり、前記海水タンクから供給される海水の量とほぼ同じ量の海水に溶けたフルボ酸が海中へ排出されるようにしてある請求項１〜５のいずれか１項に記載の藻場育成システム。
【手続補正書】
【提出日】令和1年5月8日(2019.5.8)
【手続補正１】
【補正対象書類名】実用新案登録請求の範囲
【補正対象項目名】全文
【補正方法】変更
【補正の内容】
【実用新案登録請求の範囲】
【請求項１】
海水をくみ上げる水中ポンプと、前記水中ポンプでくみ上げた海水を貯蔵する海水タンクと、フルボ酸溶液を入れたフルボ酸溶液タンクと、鉄イオン発生装置を中に取付けたフルボ酸鉄生成タンクとを備え、前記フルボ酸鉄生成タンク内で、前記鉄イオン発生装置から鉄イオンを発生させ、前記フルボ酸溶液タンクから前記フルボ酸鉄生成タンク内へフルボ酸溶液を供給して、フルボ酸鉄を生成し、前記海水タンクからフルボ酸鉄生成タンク内へ海水を供給することによってオーバーフローさせ、生成したフルボ酸鉄を海中へ排出させるように構成してあることを特徴とする藻場育成システム。
【請求項２】
前記鉄イオン発生装置は、通電材料とそれを外装する外筒内に棒材を配置してなり、外筒を正極に、棒材を負極にしてある請求項１に記載の藻場育成システム。
【請求項３】
前記鉄イオン発生装置に供給するＤＣ電源を備える請求項１又は２に記載の藻場育成システム。
【請求項４】
前記外筒の内面はステンレス製である請求項２に記載の藻場育成システム。
【請求項５】
前記棒材は鉄製である請求項２に記載の藻場育成システム。
【請求項６】
フルボ酸鉄生成タンクは海水で満水にしてあり、前記海水タンクから供給される海水の量とほぼ同じ量の海水に溶けたフルボ酸鉄が海中へ排出されるようにしてある請求項１〜５のいずれか１項に記載の藻場育成システム。